(57)【特許請求の範囲】
【請求項１】
エレベーター以外の階間移動手段が設けられている建物に設けられているエレベーターを利用しようとするエレベーター利用者が前記建物のいずれかの階に所在する場合に、前記エレベーター利用者が前記エレベーターで向かおうとしている行先階を抽出する行先階抽出部と、
前記エレベーター利用者に前記エレベーターの代わりに前記階間移動手段を利用させる階数である階間移動手段利用階数を記憶する記憶部と、
前記行先階抽出部により複数の行先階が抽出されたか否かを判定し、前記行先階抽出部により前記複数の行先階が抽出された場合に、前記記憶部から前記階間移動手段利用階数を取得し、前記行先階抽出部により抽出された前記複数の行先階と、前記記憶部から取得した前記階間移動手段利用階数とに基づき、前記エレベーターを停止させる停止階を前記複数の行先階よりも少ない階数で決定する停止階決定部とを有するエレベーター制御装置。
【請求項２】
前記階間移動手段利用階数として、前記エレベーター利用者に前記階間移動手段により上らせることが推奨される階数である推奨上り階数と前記エレベーター利用者に前記階間移動手段により下らせることが推奨される階数である推奨下り階数とが指定されており、
前記停止階決定部は、
前記複数の行先階と、前記推奨上り階数と前記推奨下り階数とに基づき、前記停止階を決定する請求項１に記載のエレベーター制御装置。
【請求項３】
前記停止階決定部は、
前記推奨上り階数内の階数の前記階間移動手段による上り及び前記推奨下り階数内の階数の前記階間移動手段による下りの少なくともいずれかで前記複数の行先階の各々に到達できるように前記停止階を決定する請求項２に記載のエレベーター制御装置。
【請求項４】
前記停止階決定部は、
前記停止階を決定した後に、前記停止階に含まれなかった行先階である除外行先階を前記停止階に追加するよう要求された場合に、前記除外行先階を前記停止階に追加する請求項１に記載のエレベーター制御装置。
【請求項５】
前記停止階決定部は、
前記停止階を決定した後に、前記停止階に含まれなかった行先階である除外行先階を前記停止階に追加するよう要求された場合に、前記除外行先階が含まれるようにして新たな停止階を決定する請求項１に記載のエレベーター制御装置。
【請求項６】
前記エレベーター制御装置は、更に、
前記停止階決定部が前記停止階を決定した後に前記停止階に含まれなかった行先階である除外行先階を前記停止階に追加するよう要求があり、前記停止階決定部が前記除外行先階を前記停止階に追加した場合に、前記除外行先階を追加階として登録する追加階登録部を有し、
前記停止階決定部は、
前記行先階抽出部により複数の行先階が抽出され、前記複数の行先階に前記追加階が含まれている場合に、前記追加階の前記停止階への追加実績に基づき、前記追加階を前記停止階に含ませるか否かを決定する請求項１に記載のエレベーター制御装置。
【請求項７】
前記停止階決定部は、
前記追加階の前記停止階への追加実績が既定の条件を満たす場合に、前記追加階を前記停止階に含める請求項６に記載のエレベーター制御装置。
【請求項８】
前記追加階登録部は、
前記追加階と、前記追加階を前記停止階に追加するよう要求したエレベーター利用者である追加要求利用者とを関連付けて登録し、
前記停止階決定部は、
前記行先階抽出部により複数の行先階が抽出され、前記複数の行先階に前記追加階が含まれ、前記追加要求利用者の行先階が前記追加階であり、前記追加要求利用者による前記追加階の前記停止階への追加回数及び追加頻度の少なくともいずれかが閾値を超える場合に、前記追加階を前記停止階に含める請求項６に記載のエレベーター制御装置。
【請求項９】
前記停止階決定部は、
前記停止階の候補が複数存在する場合に、前記停止階の数が最少の候補を選択する請求項１に記載のエレベーター制御装置。
【請求項１０】
前記停止階決定部は、
前記停止階の候補が複数存在する場合に、前記エレベーターが出発してから、前記エレベーターが全ての停止階に停止した後に前記エレベーターが移動すべき階である移動先階に到達するまでの時間が最小の候補を選択する請求項１に記載のエレベーター制御装置。
【請求項１１】
前記停止階決定部は、
前記エレベーター利用者の人数が既定の条件を満たす場合に、前記停止階を前記複数の行先階よりも少ない階数で決定する請求項１に記載のエレベーター制御装置。
【請求項１２】
前記停止階決定部は、
前記エレベーターの電力消費量及び前記建物における電力消費量の少なくともいずれかが既定の条件を満たす場合に、前記停止階を前記複数の行先階よりも少ない階数で決定する請求項１に記載のエレベーター制御装置。
【請求項１３】
コンピュータが、エレベーター以外の階間移動手段が設けられている建物に設けられているエレベーターを利用しようとするエレベーター利用者が前記建物のいずれかの階に所在する場合に、前記エレベーター利用者が前記エレベーターで向かおうとしている行先階を抽出し、
前記コンピュータが、複数の行先階が抽出されたか否かを判定し、前記複数の行先階が抽出された場合に、前記コンピュータが、前記エレベーター利用者に前記エレベーターの代わりに前記階間移動手段を利用させる階数である階間移動手段利用階数を記憶している記憶領域から前記階間移動手段利用階数を取得し、前記複数の行先階と、前記記憶領域から取得した前記階間移動手段利用階数とに基づき、前記エレベーターを停止させる停止階を前記複数の行先階よりも少ない階数で決定するエレベーター制御方法。
【請求項１４】
エレベーター以外の階間移動手段が設けられている建物に設けられているエレベーターを利用しようとするエレベーター利用者が前記建物のいずれかの階に所在する場合に、前記エレベーター利用者が前記エレベーターで向かおうとしている行先階を抽出する行先階抽出処理と、
前記行先階抽出処理により複数の行先階が抽出されたか否かを判定し、前記行先階抽出処理により前記複数の行先階が抽出された場合に、前記エレベーター利用者に前記エレベーターの代わりに前記階間移動手段を利用させる階数である階間移動手段利用階数を記憶している記憶領域から前記階間移動手段利用階数を取得し、前記行先階抽出処理により抽出された前記複数の行先階と、前記記憶領域から取得した前記階間移動手段利用階数とに基づき、前記エレベーターを停止させる停止階を前記複数の行先階よりも少ない階数で決定する停止階決定処理とをコンピュータに実行させるエレベーター制御プログラム。
【発明の詳細な説明】
【技術分野】
【０００１】
本開示は、エレベーターの運行に関する。
【背景技術】
【０００２】
階数の多い建物では、多くの利用者が多くの階をエレベーターの行先階として登録する場合がある。このような場合は、エレベーターは行先階の各々で停止することになり、エレベーターの運行に長時間を要する。【０００３】
特許文献１では、エレベーターの輸送効率を改善するために、行先階を減らした混雑対応運転を行うエレベーター運行システムが開示されている。
【先行技術文献】
【特許文献】
【０００４】
【特許文献１】特開２０１４−２２１６８３号公報
【発明の概要】
【発明が解決しようとする課題】
【０００５】
特許文献１の技術では、エレベーターの利用実績が多い階を静的に第１の停止階に指定し、第１の停止階に基づいて他の停止階を決定する。【０００６】
特許文献１の技術では、実際にエレベーター利用者が向かおうとしている行先階に関わらず、固定的に第１の停止階にエレベーターを停止させる。従って、特許文献１の技術では、実際には第１の停止階の利用人数が少なくても、必ず第１の停止階にエレベーターが停止し、却って輸送効率が悪化するという課題がある。【０００７】
本開示は、上記のような課題を解決することを主な目的の一つとしている。より具体的には、実際にエレベーター利用者が向かおうとしている行先階を反映させて柔軟に停止階を決定することを主な目的とする。
【課題を解決するための手段】
【０００８】
本開示に係るエレベーター制御装置は、
エレベーター以外の階間移動手段が設けられている建物に設けられているエレベーターを利用するエレベーター利用者が向かおうとしている行先階を抽出する行先階抽出部と、
前記行先階抽出部により複数の行先階が抽出された場合に、前記複数の行先階と、前記エレベーター利用者に前記エレベーターの代わりに前記階間移動手段を利用させる階数である階間移動手段利用階数とに基づき、前記エレベーターを停止させる停止階を前記複数の行先階よりも少ない階数で決定する停止階決定部とを有する。
【発明の効果】
【０００９】
本開示によれば、実際にエレベーター利用者が向かおうとしている行先階を反映させて柔軟に停止階を決定することができる。
【図面の簡単な説明】
【００１０】
【図１】実施の形態１に係るエレベーターシステムの構成例を示す図。
【図２】実施の形態１に係るエレベーター制御装置のハードウェア構成例を示す図。
【図３】実施の形態１に係るエレベーター制御装置の機能構成例を示す図。
【図４】実施の形態１に係るエレベーター制御装置の動作例を示すフローチャート。
【図５】実施の形態１に係る停止階の候補の例を示す図。
【図６】実施の形態１に係る除外行先階の追加が要求された場合の動作例を示す図。
【図７】実施の形態２に係るエレベーター制御装置の動作例を示すフローチャート。
【図８】実施の形態２に係る除外行先階の追加が要求された場合の動作例を示す図。
【図９】実施の形態３に係るエレベーター制御装置の機能構成例を示す図。
【図１０】実施の形態３に係るエレベーター制御装置の動作例を示すフローチャート。
【図１１】実施の形態３に係るエレベーター制御装置の動作の概要を示す図。
【図１２】実施の形態３に係るエレベーター制御装置の動作の概要を示す図。
【図１３】実施の形態４に係るエレベーター制御装置の機能構成例を示す図。
【図１４】実施の形態４に係るエレベーター制御装置の動作例を示すフローチャート。
【発明を実施するための形態】
【００１１】
以下、実施の形態を図を用いて説明する。以下の実施の形態の説明及び図面において、同一の符号を付したものは、同一の部分又は相当する部分を示す。
【００１２】
実施の形態１．
＊＊＊構成の説明＊＊＊
図１は、本実施の形態に係るエレベーターシステムの構成例を示す。
本実施の形態では、エレベーター以外に階間移動手段として階段が設けられている建物に設けられているエレベーターシステムを説明する。階間移動手段は、利用者に階の間を移動させるために設けられた手段である。階間移動手段としては、階段以外にスロープ、エスカレーターなどが考えられる。本実施の形態では、階間移動手段の例として階段を説明する。
本実施の形態では、建物は１０階建てとする。
エレベーター５０は建物の１階から１０階までを運行する。また、エレベーター５０にはエレベーター制御装置１０が搭載されている。エレベーター制御装置１０はエレベーター５０の運行を制御する。
図１では、作図上の理由により１階、７階、８階及び９階のみを示している。
【００１３】
１階には、ドア１０１、階段１０２、監視カメラ１０３及びビーコン１０４がある。
ドア１０１は、エレベーター５０が１階に到着する前は閉じている。エレベーター５０が１階に到着するとドア１０１が開く。
階段１０２は、２階に上がるための階段である。
監視カメラ１０３は、１階に所在するエレベーター利用者（以下、単に利用者ともいう）を撮影する。ビーコン１０４は、１階に所在するエレベーター利用者が保持する携帯端末装置（例えば、スマートフォン）と通信を行う。
【００１４】
７階、８階、９階にも、各々、ドア７０１、ドア８０１及びドア９０１がある。ドア７０１、ドア８０１及びドア９０１は、ドア１０１と同様である。
また、７階、８階、９階にも、各々、階段７０２、階段８０２及び階段９０２がある。階段７０２は６階に下り、８階に上がるための階段である。階段８０２は７階に下り、９階に上がるための階段である。階段９０２は、８階に下り、１０階に上がるための階段である。
７階、８階、９階にも、各々、監視カメラ７０３、監視カメラ８０３及び監視カメラ９０３がある。監視カメラ７０３、監視カメラ８０３及び監視カメラ９０３は、監視カメラ１０３と同様である。
７階、８階、９階にも、各々、ビーコン７０４、ビーコン８０４及びビーコン９０４がある。ビーコン７０４、ビーコン８０４及びビーコン９０４は、ビーコン１０４と同様である。
【００１５】
ここで、本実施の形態に係るエレベーター制御装置１０の動作の概要を説明する。
エレベーター制御装置１０は、エレベーター利用者にエレベーター５０の代わりに階段を利用させる階数である階段利用階数を記憶している。階段利用階数は階間移動手段利用階数の例である。階段利用階数は、例えば、「１ｕｐ／２ｄｏｗｎ」のように表記する。「ｕｐ」は、エレベーター利用者に階段により上らせることが推奨される階数である。「ｕｐ」は、推奨上り階数を表す。「ｄｏｗｎ」は、エレベーター利用者に階段により下らせることが推奨される階数である。「ｄｏｗｎ」は、推奨下り階数を表す。「１ｕｐ／２ｄｏｗｎ」は推奨上り階数が１階であり、推奨下り階数が２階であることを意味する。ここでは、エレベーター制御装置１０は階段利用階数として「１ｕｐ／２ｄｏｗｎ」を記憶しているものとする。
エレベーター制御装置１０は、複数の行先階がある場合に、複数の行先階と、階段利用階数とに基づき、エレベーター５０を停止させる停止階を複数の行先階よりも少ない階数で決定する。
【００１６】
例えば、１階に３人のエレベーター利用者がおり、３人のエレベーター利用者が向かおうとしている行先階が、７階、８階及び９階であるものとする。
このとき、エレベーター制御装置１０は、行先階である７階、８階及び９階と、階段利用階数である「１ｕｐ／２ｄｏｗｎ」とに基づき、停止階を決定する。具体的には、エレベーター５０は、「１ｕｐ／２ｄｏｗｎ」の階段の上り及び階段の下りで行先階の各々に到達できるように停止階を決定する。
図１の例では、エレベーター制御装置１０は８階を停止階として決定する。そして、９階が行先階のエレベーター利用者は、８階から階段９０２を利用して９階に向かう。また、７階が行先階のエレベーター利用者は、８階から階段７０２を利用して７階に向かう。
【００１７】
図２は、本実施の形態に係るエレベーター制御装置１０のハードウェア構成例を示す。
図３は、本実施の形態に係るエレベーター制御装置１０の機能構成例を示す。
エレベーター制御装置１０は、コンピュータである。エレベーター制御装置１０の動作手順は、エレベーター制御方法に相当する。また、エレベーター制御装置１０の動作を実現するプログラムは、エレベーター制御プログラムに相当する。
【００１８】
エレベーター制御装置１０は、ハードウェアとして、プロセッサ１００１、主記憶装置１００２、補助記憶装置１００３及び通信装置１００４を備える。
また、エレベーター制御装置１０は、機能構成として、行先階抽出部１１、停止階決定部１２、追加要求取得部１３、利用者行先階情報記憶部１４、階段利用階数情報記憶部１５及び運転制御部１６を備える。
補助記憶装置１００３には、行先階抽出部１１、停止階決定部１２、追加要求取得部１３及び運転制御部１６の機能を実現するプログラムが記憶されている。
これらプログラムは、補助記憶装置１００３から主記憶装置１００２にロードされる。そして、プロセッサ１００１がこれらプログラムを実行して、後述する行先階抽出部１１、停止階決定部１２、追加要求取得部１３及び運転制御部１６の動作を行う。
図２では、プロセッサ１００１が行先階抽出部１１、停止階決定部１２、追加要求取得部１３及び運転制御部１６の機能を実現するプログラムを実行している状態を模式的に表している。
利用者行先階情報記憶部１４及び階段利用階数情報記憶部１５は、主記憶装置１００２又は補助記憶装置１００３により実現される。
【００１９】
図３において、行先階抽出部１１は、エレベーター利用者が向かおうとしている行先階を抽出する。
行先階抽出部１１は、例えば、監視カメラ１０３により撮影されたエレベーター利用者の顔画像を監視カメラ１０３から取得する。また、行先階抽出部１１は、利用者行先階情報記憶部１４から利用者行先階情報を取得する。利用者行先階情報には、エレベーター利用者を識別するための識別情報（例えば、顔画像、電話番号）とエレベーター利用者の行先階が示される行先階情報が格納されている。
そして、行先階抽出部１１は、エレベーター利用者の顔画像と利用者行先階情報とを照合して、エレベーター利用者を識別し、更に、エレベーター利用者の行先階を抽出する。
なお、図３では、行先階抽出部１１は１階に配置されている監視カメラ１０３からエレベーター利用者の顔画像を取得する例を示しているが、行先階抽出部１１は他の階の監視カメラからエレベーター利用者の顔画像を取得することもある。また、エレベーター５０内に環視カメラが設置されている場合は、行先階抽出部１１は、エレベーター５０内の監視カメラからエレベーター利用者の顔画像を取得してもよい。
また、行先階抽出部１１は、例えば、エレベーター利用者の携帯端末装置（例えば、スマートフォン）の識別子（例えば、電話番号）を携帯端末装置から取得する。そして、行先階抽出部１１は、エレベーター利用者の携帯端装置の識別子と利用者行先階情報とを照合して、エレベーター利用者を識別し、更に、エレベーター利用者の行先階を抽出する。また、行先階抽出部１１は、例えば、携帯端末装置により取得されたビーコン１０４の識別子を携帯端末装置より取得する。そして、行先階抽出部１１は、ビーコン１０４の識別子を用いて、エレベーター利用者が現在所在している階（例えば、１階）を識別する。
なお、図３では、行先階抽出部１１は１階のビーコン１０４の識別子を取得する例を示しているが、行先階抽出部１１は他の階のビーコンの識別子を取得することもある。
行先階抽出部１１は抽出した行先階を停止階決定部１２に通知する。
行先階抽出部１１により行われる処理は、行先階抽出処理に相当する。
【００２０】
停止階決定部１２は、行先階抽出部１１により複数の行先階が抽出された場合に、複数の行先階と、階段利用階数とに基づき、エレベーター５０を停止させる停止階を複数の行先階よりも少ない階数で決定する。
停止階決定部１２は、階段利用階数情報記憶部１５から階段利用階数情報を取得し、階段利用階数情報を参照することで階段利用階数を得る。
停止階決定部１２は、例えば、エレベーター５０内の行先階ボタン５１のうち停止階に対応する行先階ボタンを点灯させて、エレベーター利用者に停止階を通知する。
また、停止階決定部１２は、決定した停止階を運転制御部１６に通知する。
また、停止階決定部１２は、停止階を決定した後に、停止階に含まれなかった行先階である除外行先階を停止階に追加するようエレベーター利用者に要求された場合に、除外行先階を停止階に追加する。エレベーター利用者は、例えば、エレベーター５０内の行先階ボタン５１のうち除外行先階に対応する行先階ボタンを押下して除外行先階を停止階に追加するよう要求する。停止階決定部１２は除外行先階を停止階に追加した場合は、追加した停止階（除外行先階）も運転制御部１６に通知する。
なお、停止階決定部１２により行われる処理は、停止階決定処理に相当する。
【００２１】
追加要求取得部１３は、停止階決定部１２が停止階を決定した後に、エレベーター利用者からの追加要求を取得する。前述したように、エレベーター利用者は、例えば、エレベーター５０内の行先階ボタン５１のうち除外行先階に対応する行先階ボタンを押下して除外行先階を停止階に追加するよう要求する。追加要求取得部１３は、除外行先階に対応する行先階ボタン５１の押下を検知し、当該除外行先階を停止階決定部１２に通知する。
【００２２】
利用者行先階情報記憶部１４は、前述した利用者行先階情報を記憶する。
【００２３】
階段利用階数情報記憶部１５は、前述した階段利用階数情報を記憶する。
【００２４】
運転制御部１６は、停止階決定部１２により通知された停止階にエレベーター５０が停止するようにエレベーター５０の運転を制御する。
【００２５】
＊＊＊動作の説明＊＊＊
図４は、本実施の形態に係るエレベーター制御装置１０の動作例を示す。
以下、図４を参照して、本実施の形態に係るエレベーター制御装置１０の動作例を説明する。
【００２６】
先ず、ステップＳ４０１において、行先階抽出部１１が、いずれかの階にエレベーター利用者がいるか否かを判定する。
具体的には、行先階抽出部１１は、いずれかの階の監視カメラからエレベーター利用者の顔画像を取得した場合に、エレベーター利用者がいると判定する。また、行先階抽出部１１は、いずれかの階の携帯端末装置から携帯端末装置の識別子を取得した場合にエレベーター利用者がいると判定してもよい。また、行先階抽出部１１は、いずれかの階のビーコンの識別子を携帯端末装置から取得した場合にエレベーター利用者がいると判定してもよい。また、行先階抽出部１１は、携帯端末装置の識別子及びビーコンの識別子を携帯端末装置から取得した場合にエレベーター利用者がいると判定してもよい。なお、ステップＳ４０１でのエレベーター利用者の検出は、これら以外の方法によって実現されてもよい。
行先階抽出部１１がエレベーター利用者がいると判定した場合は、処理がステップＳ４０２に進む。
【００２７】
ステップＳ４０２では、行先階抽出部１１は、エレベーター利用者を識別し、行先階を抽出する。
具体的には、行先階抽出部１１は、利用者行先階情報記憶部１４から利用者行先階情報を取得する。
そして、監視カメラからエレベーター利用者の顔画像を取得している場合は、行先階抽出部１１は、エレベーター利用者の顔画像と利用者行先階情報とを照合して、エレベーター利用者を識別する。
また、携帯端末装置の識別子を取得している場合は、行先階抽出部１１は、携帯端装置の識別子と利用者行先階情報とを照合して、エレベーター利用者を識別する。
そして、行先階抽出部１１は、識別したエレベーター利用者と利用者行先階情報において対応付けられている行先階を抽出する。
行先階抽出部１１は、抽出した行先階を停止階決定部１２に通知する。また、また、行先階抽出部１１は、エレベーター利用者が所在する階（以下、乗車階という）を停止階決定部１２に通知する。
【００２８】
次に、ステップＳ４０３において、停止階決定部１２が行先階抽出部１１から複数の行先階が通知されたか否かを判定する。
行先階抽出部１１から複数の行先階が通知されている場合は、処理がステップＳ４０４に進む。
一方、行先階抽出部１１から１つの行先階が通知されている場合は、停止階決定部１２は運転制御部１６に行先階と乗車階を通知し、処理がステップＳ４１３に進む。
【００２９】
ステップＳ４０４では、停止階決定部１２が停止階の候補を生成する。
具体的には、停止階決定部１２は階段利用階数情報記憶部１５から階段利用階数情報を取得する。そして、停止階決定部１２は、複数の行先階と、階段利用階数とに基づき、停止階の候補を生成する。各候補の停止階の数はステップＳ４０２で抽出された行先階よりも少ない数である。
【００３０】
次に、ステップＳ４０５において、停止階決定部１２は、停止階の候補が複数あるか否かを判定する。
停止階の候補が１つの場合は、処理がステップＳ４０６に進む。
一方、停止階の候補が複数ある場合は、処理がステップＳ４０７に進む。
【００３１】
ステップＳ４０６では、停止階決定部１２は、停止階の候補に含まれる階を、停止階として決定する。
そして、停止階決定部１２は、エレベーター５０内の行先階ボタン５１のうち停止階に対応する行先階ボタン５１を点灯させて、エレベーター利用者に停止階を通知する。
また、停止階決定部１２は、決定した停止階と乗車階を運転制御部１６に通知する。
【００３２】
ステップＳ４０７では、停止階決定部１２は、複数の停止階の候補において、停止階の数が最少の候補が複数あるか否かを判定する。
停止階の数が最少の候補が１つである場合は処理がＳ４０８に進む。
一方、停止階の数が最少の候補が複数ある場合は処理がステップＳ４０９に進む。
【００３３】
ステップＳ４０８では、停止階決定部１２は、停止階の数が最少の候補に含まれる階を、停止階として決定する。
そして、停止階決定部１２は、エレベーター５０内の行先階ボタン５１のうち停止階に対応する行先階ボタン５１を点灯させて、エレベーター利用者に停止階を通知する。
また、停止階決定部１２は、決定した停止階と乗車階を運転制御部１６に通知する。
【００３４】
ステップＳ４０９では、停止階決定部１２は、停止階の数が最少の候補において、停止階の中の最上階までの所要時間が最短の候補が複数あるか否かを判定する。
最上階までの所要時間が最短の候補が１つの場合は、処理がステップＳ４１０に進む。
一方、最上階までの所要時間が最短の候補が複数ある場合は、処理がステップＳ４１１に進む。
【００３５】
ステップＳ４１０では、停止階決定部１２は、最上階までの所要時間が最短の候補に含まれる階を、停止階として決定する。
そして、停止階決定部１２は、エレベーター５０内の行先階ボタン５１のうち停止階に対応する行先階ボタン５１を点灯させて、エレベーター利用者に停止階を通知する。
また、停止階決定部１２は、決定した停止階と乗車階を運転制御部１６に通知する。
【００３６】
ステップＳ４１１では、停止階決定部１２は、最上階までの所要時間が最短の複数の候補の中からランダムに１つの候補を選択し、選択した候補に含まれる階を、停止階として決定する。
そして、停止階決定部１２は、エレベーター５０内の行先階ボタン５１のうち停止階に対応する行先階ボタン５１を点灯させて、エレベーター利用者に停止階を通知する。
また、停止階決定部１２は、決定した停止階と乗車階を運転制御部１６に通知する。
なお、ここでは、停止階決定部１２が最上階までの所要時間が最短の候補を選択する例を説明したが、停止階決定部１２は、エレベーター５０が出発してから、エレベーター５０が全ての停止階に停止した後にエレベーターが移動すべき階である移動先階に到達するまでの時間が最小の候補を選択するようにしてもよい。移動先階は、例えば、基準階又は混雑が発生している階である。基準階は、エレベーターの呼びがなくなった際に、次の呼びに備えてエレベーター５０が移動しておく階である。
【００３７】
ステップＳ４０６、ステップＳ４０８、ステップＳ４１０及びステップＳ４１１のいずれかにより停止階が決定された後に、停止階決定部１２は、ステップＳ４１２において、停止階以外の行先階（除外行先階）での停止がエレベーター利用者により要求されたか否かを判定する。
エレベーター利用者は、例えば、エレベーター５０内の行先階ボタン５１のうち除外行先階に対応する行先階ボタン５１を押下して除外行先階を停止階に追加するよう要求する。
追加要求取得部１３が除外行先階に対応する行先階ボタン５１の押下を検知し、当該除外行先階を停止階決定部１２に通知する。
停止階決定部１２は、除外行先階が追加要求取得部１３から通知された場合に、除外行先階での停止が要求されたと判定する。
除外行先階での停止が要求されている場合は、処理がステップＳ４１３に進む。
一方、除外行先階での停止が要求されていない場合は、処理がステップＳ４１４に進む。
【００３８】
ステップＳ４１３では、停止階決定部１２が、停止が要求された除外行先階を停止階に追加する。
また、停止階決定部１２は、追加した停止階を運転制御部１６に通知する。
【００３９】
ステップＳ４１４では、運転制御部１６が、エレベーター５０を乗車階に向かわせるための制御を行う。また、運転制御部１６は、エレベーター５０を停止階に向かわせるための制御を行う。
【００４０】
なお、図４では、行先階が複数ある場合（ステップＳ４０３でＹＥＳ）にステップＳ４０４〜Ｓ４１１により停止階を決定することとした。これに代えて、行先階が１つの場合でも、ステップＳ４０４〜Ｓ４１１を実行することとしてもよい。この場合には、行先階よりも下の階にエレベーター５０を停止させることにより、例えば、エレベーター５０が基準階又は混雑が発生している階に戻るための時間を短縮させることができる。例えば、１階が基準階であり、行先階が７階である場合を想定する。停止階を５階にした場合は、停止階を７階にするよりも所要時間を短くすることができる。
【００４１】
次に、具体例を用いて、本実施の形態に係る停止階決定部１２の動作例を説明する。
【００４２】
図５は、停止階決定部１２が生成する停止階の候補の例を示す。
図５では、３階〜９階の全ての階が行先階として抽出されたものとする。
また、図５では、階段利用階数として、「１ｕｐ／２ｄｏｗｎ」が用いられているものとする。
【００４３】
候補１では、５階、８階が停止階である。３階には５階から２ｄｏｗｎで到達することができる。４階には５階から１ｄｏｗｎで到達することができる。６階には５階から１ｕｐで到達することができる。７階には８階から１ｄｏｗｎで到達することができる。９階には８階から１ｕｐで到達することができる。
【００４４】
候補２では、５階、９階が停止階である。３階には５階から２ｄｏｗｎで到達することができる。４階には５階から１ｄｏｗｎで到達することができる。６階には５階から１ｕｐで到達することができる。７階には９階から２ｄｏｗｎで到達することができる。８階には９階から１ｄｏｗｎで到達することができる。
【００４５】
候補３では、４階、８階が停止階である。３階には４階から１ｄｏｗｎで到達することができる。５階には４階から１ｕｐで到達することができる。６階には８階から２ｄｏｗｎで到達することができる。７階には８階から１ｄｏｗｎで到達することができる。９階には８階から１ｕｐで到達することができる。
【００４６】
なお、候補１〜候補３は、それぞれ、停止階の数が最少の候補である。つまり、図５では、停止階の数が３以上の候補を停止階決定部１２が排除した後の状態を示している。
候補１〜候補３の停止階はいずれも２つであるため、停止階決定部１２は、各候補の最上階までの所要時間を確認する。候補１と候補３は最上階が８階であるため、候補１と候補２の所要時間が最短である。従って、停止階決定部１２は、図４のステップＳ４１１において、候補１及び候補３のいずれかを選択する。
ここでは、停止階決定部１２は候補１を選択したものとする。
【００４７】
図６は、除外行先階での停止が要求された場合の停止階決定部１２の動作例を示す。
図６では、候補１が選択された後に、除外行先階である４階での停止が要求されたものとする。
この場合は、停止階決定部１２は、候補１の停止階である５階及び８階に加えて４階を停止階として指定する。
４階が停止階に追加されたため、３階は４階から１ｄｏｗｎで到達することができる。
【００４８】
＊＊＊実施の形態の効果の説明＊＊＊
以上のように、本実施の形態によれば、実際にエレベーター利用者が向かおうとしている行先階を反映させて柔軟に停止階を決定することができる。従って、本実施の形態では、動的にエレベーターの停止階を決定することができ、輸送効率を向上させることができる。
また、本実施の形態によれば、停止階の数の抑制によりエレベーターの運行時間を短縮することができ、混雑の緩和を図ることができる。
また、本実施の形態によれば、エレベーターの運行時間の短縮により電力消費量を抑制することができる。
【００４９】
実施の形態２．
本実施の形態では、主に実施の形態１との差異を説明する。
なお、以下で説明していない事項は、実施の形態１と同様である。
【００５０】
＊＊＊動作の説明＊＊＊
図７は、本実施の形態に係るエレベーター制御装置１０の動作例を示す。
【００５１】
図４と比較して、図７では、ステップＳ４１３が省略され、また、ステップＳ４１２の判定で「ＹＥＳ」の場合は、処理がステップＳ４０４に進む点が異なる。
【００５２】
図７において、ステップＳ４０１〜Ｓ４１１は図４に示したものと同じであるため、説明を省略する。
【００５３】
ステップＳ４１２において除外行先階での停止が要求されている場合は、処理がステップＳ４０４に戻り、停止階決定部１２は、除外行先階が含まれるようにして新たな停止階の候補を生成する。
【００５４】
具体例を用いて、本実施の形態に係る停止階決定部１２の動作例を説明する。
【００５５】
図８は、実施の形態１で説明した候補１が停止階として選択された後に、除外行先階である４階での停止が要求された場合の停止階決定部１２の動作例を示す。
この場合は、ステップＳ４１２の判定で「ＹＥＳ」となり、停止階決定部１２は、ステップＳ４０４において、停止要求があった４階が停止階に含まれる候補を生成する。図８の例では、停止階決定部１２は、実施の形態１で説明した候補３を新たな候補として生成する。候補３では、停止要求があった４階と、８階が停止階となっており、４階及び８階以外の階には「１ｕｐ／２ｄｏｗｎ」の範囲で到達可能である。
そして、停止階決定部１２は、候補３を用いてステップＳ４０５以降の処理を行う。
【００５６】
＊＊＊実施の形態の効果の説明＊＊＊
実施の形態１では、図６に示すように、後から除外行先階での停止の要求があった場合は、最終的な停止階の数が増えてしまう。
これに対して、本実施の形態では、後から除外行先階への要求があった場合でも、除外行先階が含まれるようにして新たな停止階を決定する。このため、本実施の形態によれば、最終的な停止階の数を抑えることができる。この結果、本実施の形態によれば、輸送効率を向上させることができ、また、混雑の緩和及び電力消費量の抑制を図ることができる。
【００５７】
実施の形態３．
本実施の形態では、主に実施の形態１との差異を説明する。
なお、以下で説明していない事項は、実施の形態１と同様である。
【００５８】
図９は、本実施の形態に係るエレベーター制御装置１０の機能構成例を示す。
【００５９】
図９では、図３と比較して、エレベーター制御装置１０内に追加階登録部１７が追加されている。
また、監視カメラ５２が追加されている。監視カメラ５２は、エレベーター５０内に設置された監視カメラである。監視カメラ５２は、例えばエレベーター５０内のエレベーター利用者の顔画像を追加要求取得部１３に出力する。
本実施の形態では、追加要求取得部１３は、除外行先階への停止を要求したエレベーター利用者（以下、追加要求利用者という）の顔画像を監視カメラ５２から取得する。
【００６０】
追加要求取得部１３は、追加要求利用者から除外行先階で停止するよう要求があった場合に、追加要求利用者の顔画像を追加階登録部１７に出力する。そして、停止階決定部１２が除外行先階を停止階に追加した場合に、追加階登録部１７が、除外行先階を追加階として登録する。更に、追加階登録部１７は、追加要求利用者を追加階と関連付けて登録する。より具体的には、追加階登録部１７は、利用者行先階情報記憶部１４から利用者行先階情報を取得し、追加要求利用者の顔画像と利用者行先階情報とを照合し、追加要求利用者を識別する。そして、識別した追加要求利用者と追加階とを関連付けて登録する。
追加階登録部１７は、追加要求利用者から要求がある度に上述の処理を行う。このため、追加階登録部１７において追加要求利用者ごとに追加階の停止階への追加実績が蓄積される。
なお、追加階登録部１７も行先階抽出部１１等と同様に、プログラムで実現される。追加階登録部１７の機能を実現するプログラムは、行先階抽出部１１等と同様に、プロセッサ１００１により実行される。
【００６１】
本実施の形態では、停止階決定部１２は、停止階の候補を生成する際に、追加階登録部１７で登録されている追加階の停止階への追加実績を参照する。そして、追加階の停止階への追加実績が既定の条件を満たす場合に、追加階が含まれる候補を生成する。つまり、停止階決定部１２は、追加階を停止階に含める。より具体的には、行先階抽出部１１により複数の行先階が抽出され、複数の行先階に追加階が含まれ、追加要求利用者の行先階が追加階であり、追加要求利用者による追加階の停止階への追加回数が閾値を超える場合に、停止階決定部１２は追加階が含まれる候補を生成する。
【００６２】
図１０は、本実施の形態に係るエレベーター制御装置１０の動作例を示す。
【００６３】
ステップＳ４０１〜Ｓ４０３は図４に示すものと同じであるため、説明を省略する。
ステップＳ４０３において行先階が複数ある場合は、処理がステップＳ４２１に進む。
【００６４】
ステップＳ４２１では、停止階決定部１２は、追加階登録部１７での登録情報を参照して、ステップＳ４０２で得られた複数の行先階の複数の利用者の中に追加回数が多い追加要求利用者が含まれているか否かを判定する。
複数の利用者の中に追加回数が多い追加要求利用者が含まれていない場合は、処理がステップＳ４０４に進む。
一方、複数の利用者の中に追加回数が多い追加要求利用者が含まれている場合は、処理がステップＳ４２２に進む。
【００６５】
ステップＳ４０４は、図４に示すものと同じであるため、説明を省略する。
【００６６】
ステップＳ４２２では、停止階決定部１２は、追加回数が多い追加要求利用者の行先階が含まれるように停止階の候補を生成する。
【００６７】
ステップＳ４０５〜Ｓ４１３及びステップＳ４１４は、図４に示したものと同じであるため、説明を省略する。なお、図１０では、作図上の理由によりステップＳ４０７〜ステップＳ４１１は図示していないが、図１０の「Ｓ４０７−Ｓ４１１」は、図４のステップＳ４０７〜ステップＳ４１１が行われることを意味する。
【００６８】
ステップＳ４１２において除外行先階での停止がエレベーター利用者により要求されたと停止階決定部１２が判定した場合は、実施の形態１と同様に、停止階決定部１２が、停止が要求された除外行先階を停止階に追加する。
更に、ステップＳ４２３において、追加階登録部１７が、追加階と追加要求利用者とを登録する。
具体的には、除外行先階での停止が要求された際、例えば、エレベーター利用者が除外行先階に対応する行先階ボタン５１を押下した際に、追加要求取得部１３が監視カメラ５２から当該エレベーター利用者の顔画像を取得する。そして、追加要求取得部１３は、除外行先階と顔画像を追加階登録部１７に出力する。
追加階登録部１７は、利用者行先階情報記憶部１４から利用者行先階情報を取得し、追加要求取得部１３から取得した顔画像と利用者行先階情報とを照合し、追加要求利用者を識別する。そして、識別した追加要求利用者と追加階とを関連付けて登録する。
【００６９】
次に、具体例を用いて、本実施の形態に係るエレベーター制御装置１０の動作を説明する。
【００７０】
図１１は、エレベーター利用者により除外停止階での停止が要求された場合の動作例を示す。
【００７１】
図１１では、図６と同様に除外行先階である４階での停止が要求されたものとする。ここで、４階での停止を要求したエレベーター利用者（追加要求利用者）は利用者ＩＤ：ＢＢＢの利用者であるとする。
停止階決定部１２は、図１０のステップＳ４１３で、４階を停止階に追加する。
追加階登録部１７は、ステップＳ４２３で、追加階である４階と、利用者ＩＤ：ＢＢＢの利用者とを登録する。図１１では、既に利用者ＩＤ：ＢＢＢの利用者により４階についての停止階への追加要求が５回行われている状況で、新たに利用者ＩＤ：ＢＢＢの利用者により４階についての停止階への追加要求が行われたことが示されている。この結果、追加回数が合計で６回になっている。なお、追加階登録部１７は、追加回数を管理していなくてもよい。追加階登録部１７が追加回数を管理していない場合は、ステップＳ４２１において、停止階決定部１２が、利用者ＩＤと追加階の組合せごとに追加階の追加回数を計数する。なお、ここでは、追加階登録部１７が利用者ＩＤと追加階の組合せごとに追加回数を管理しているものとする。
【００７２】
図１２は、抽出された行先階の利用者に追加要求利用者が含まれている場合の動作例を示す。
図１２では、３階〜９階の全ての階が行先階として抽出されたものとする。
また、３階〜９階に向かおうとする利用者のＩＤは、図１２に示す通りである。４階に向かおうとする利用者は、利用者ＩＤ：ＢＢＢの利用者である。
停止階決定部１２は、図１０のステップＳ４２１で、利用者ＩＤと行先階の組合せごとに、追加回数を調べる。
なお、ここでは追加回数の閾値は「５」であるとする。つまり、いずれかの利用者の追加回数が「５」以上であれば、停止階決定部１２は、ステップＳ４２１においてＹＥＳと判定する。
図１２の例では、利用者ＩＤ：ＢＢＢと４階の組合せの追加回数は「６」なので、閾値を超えており、停止階決定部１２は、ステップＳ４２１において「ＹＥＳ」と判定する。
この結果、停止階決定部１２は、ステップＳ４２２において、４階が含まれるように停止階の候補を生成する。具体的には、図１２に示すように、４階が停止階に含まれる候補３を生成する。
【００７３】
なお、以上では、停止階決定部１２は、追加回数が閾値を超える場合にステップＳ４２１において「ＹＥＳ」と判定する例を説明した。これに代えて、停止階決定部１２は、追加頻度が閾値を超える場合にステップＳ４２１において「ＹＥＳ」と判定するようにしてもよい。追加頻度は、（追加回数÷規定期間）により得ることができる。また、この場合には、追加階登録部１７は、追加階と追加要求利用者とともに、追加要求があった日時も登録する。
【００７４】
また、以上では、追加階登録部１７が、監視カメラ５２で撮影された追加要求利用者の顔画像を用いて追加要求利用者を識別することとした。これに代えて、エレベーター５０内にビーコン受信器を設置し、当該ビーコン受信器が追加要求利用者の携帯端末装置（例えば、スマートフォン）の識別子（例えば、電話番号）を取得するようにしてもよい。そして、追加階登録部１７が追加要求利用者の携帯端末装置の識別子を用いて、追加要求利用者を識別するようにしてもよい。
【００７５】
また、本実施の形態では、図１０のステップＳ４１２で「ＹＥＳ」の場合に、ステップＳ４１３において停止階決定部１２が除外行先階を停止階に追加することになっている。これに代えて、図７のように、ステップＳ４１２で「ＹＥＳ」の場合に、ステップＳ４０４において停止階決定部１２が除外行先階を停止階に含むように新たな候補を生成するようにしてもよい。
【００７６】
また、一旦ある追加要求利用者の追加回数又は追加頻度が閾値を超えると当該追加要求利用者の行先階が常に停止階に含まれることになり、不公平が生じる。このため、追加階登録部１７は、定期的に登録している追加回数及び追加頻度をキャンセルして、行先階が停止階に含まれることになる追加要求利用者を見直す機会を設けてもよい。
【００７７】
＊＊＊実施の形態の効果の説明＊＊＊
利用者の中には、例えば健康上の理由により階段を利用できない利用者も想定される。本実施の形態によれば、このような階段を利用できない利用者も含め、利用者ごとに柔軟なエレベーターの運行を実現することができる。
【００７８】
実施の形態４．
本実施の形態では、主に実施の形態１との差異を説明する。
なお、以下で説明していない事項は、実施の形態１と同様である。
【００７９】
＊＊＊構成の説明＊＊＊
図１３は、本実施の形態に係るエレベーター制御装置１０の機能構成例を示す。
【００８０】
図１３では、図３と比較して、エレベーター制御装置１０内に動作モード決定部１８が追加されている。
本実施の形態に係るエレベーター制御装置１０は動作モードとして、通常モードと停止階制限モードのいずれかをとるものとする。停止階制限モードとは、実施の形態１〜３で説明したように停止階を行先階よりも少ない階数にするモードである。一方、通常モードとは、エレベーター利用者が向かおうとしている行先階をそのまま停止階として扱うモードである。
【００８１】
動作モード決定部１８は、既定の条件が成立する場合に、エレベーター制御装置１０の動作モードを停止階制限モードにする。
【００８２】
例えば、動作モード決定部１８は、１階でエレベーター５０を待っているエレベーター利用者の人数（以下、待ち人数という）が閾値以上である場合に、エレベーター制御装置１０の動作モードを停止階制限モードに設定する。この場合は、動作モード決定部１８は、監視カメラ１０３又はビーコン１０４から取得した情報に基づき、待ち人数を計数する。そして、動作モード決定部１８は、待ち人数が閾値以上であるか否かを判定する。なお、本実施の形態では、動作モード決定部１８が１階における待ち人数を基準にして動作モードを決定する例を説明するが、動作モード決定部１８は、１階以外の階での待ち人数を基準にして動作モードを決定してもよい。
【００８３】
また、例えば、動作モード決定部１８は、エレベーター５０の電力消費量及びエレベーター５０が設置されている建物における電力消費量の少なくともいずれかが閾値以上である場合に、エレベーター制御装置１０の動作モードを停止階制限モードにする。この場合は、動作モード決定部１８は、図示していない電力メータからエレベーター５０及び建物の電力消費量を取得する。そして、動作モード決定部１８は、取得した電力消費量が閾値以上であるか否かを判定する。
【００８４】
また、動作モード決定部１８は、停止階決定部１２に現在の動作モードを通知する。
停止階決定部１２は、現在の動作モードが停止階制限モードであれば、実施の形態１〜３のいずれかの方法により、停止階を制限する。
なお、動作モード決定部１８も行先階抽出部１１等と同様に、プログラムで実現される。動作モード決定部１８の機能を実現するプログラムは、行先階抽出部１１等と同様に、プロセッサ１００１により実行される。
【００８５】
＊＊＊動作の説明＊＊＊
図１４は、本実施の形態に係るエレベーター制御装置１０の動作例を示す。
【００８６】
ステップＳ６０１において、動作モード決定部１８は、待ち人数が閾値以上であるか否かを判定する。
より具体的には、動作モード決定部１８は、監視カメラ１０３から１階でエレベーター５０を待つエレベーター利用者の画像を取得し、画像を解析して、１階における待ち人数を計数する。また、動作モード決定部１８は、ビーコン１０４から、１階でエレベーター５０を待つエレベーター利用者の携帯端末装置の識別子を取得し、識別子の計数結果から１階における待ち人数を推定してもよい。そして、動作モード決定部１８は、待ち人数が閾値以上であるか否かを判定する。
例えば、エレベーター５０の乗車定員数を閾値とすることが考えられる。また、建物にｎ（ｎ≧２）台のエレベーター５０が配置されている場合は、（乗車定員数×ｎ）を閾値とすることが考えられる。
待ち人数が閾値以上である場合は、処理がステップＳ６０２に進む。
一方、待ち人数が閾値以上ではない場合は、処理がステップＳ６０４に進む。
【００８７】
ステップＳ６０２では、動作モード決定部１８は、現在の動作モードが通常モードであるか否かを判定する。
現在の動作モードが通常モードである場合は、処理がステップＳ６０３に進む。
一方、現在の動作モードが停止階制限モードである場合は、処理が終了する。
【００８８】
ステップＳ６０３では、動作モード決定部１８は動作モードを停止階制限モードに変更する。具体的には、動作モード決定部１８は、現在の動作モードが停止階制限モードであることを停止階決定部１２に通知する。この結果、停止階決定部１２は、実施の形態１〜３のいずれかの方法で、停止階を制限する。
【００８９】
ステップＳ６０４では、動作モード決定部１８は、エレベーター５０の電力消費量及び建物の電力消費量が閾値以上であるか否かを判定する。
例えば、時刻ごとにエレベーター５０の電力消費量の閾値が設定されており、動作モード決定部１８が現在時刻の閾値とエレベーター５０の現在の電力消費量とを比較する。
同様に、時刻ごとに建物の電力消費量の閾値が設定されており、動作モード決定部１８が現在時刻の閾値と建物の現在の電力消費量とを比較する。
電力消費量が閾値以上である場合は、処理がステップＳ６０２に進む。
一方、電力消費量が閾値以上ではない場合は、処理がステップＳ６０５に進む。
【００９０】
ステップＳ６０５では、動作モード決定部１８は、現在の動作モードが停止階制限モードであるか否かを判定する。
現在の動作モードが停止階制限モードである場合は、処理がステップＳ６０６に進む。
一方、現在の動作モードが通常モードである場合は、処理が終了する。
【００９１】
ステップＳ６０６では、動作モード決定部１８は動作モードを通常モードに変更する。具体的には、動作モード決定部１８は、現在の動作モードが通常モードであることを停止階決定部１２に通知する。この結果、停止階決定部１２は、行先階をそのまま停止階として扱う。
【００９２】
＊＊＊実施の形態の効果の説明＊＊＊
以上、本実施の形態によれば、利便性の向上と輸送効率の向上を図ることができる。つまり、本実施の形態によれば、待ち人数が少ない場合は、各利用者の行先階までエレベーターを運行することで利用者の利便性の向上を図ることができる。一方、待ち人数が多い場合は、停止階を制限することで輸送効率の向上を図ることができる。
また、本実施の形態によれば、利便性の向上と電力消費量の抑制を図ることができる。つまり、本実施の形態によれば、電力消費量が少ない場合は、各利用者の行先階までエレベーターを運行することで利用者の利便性の向上を図ることができる。一方、電力消費量が多い場合は、停止階を制限することで電力消費量の抑制を図ることができる。
【００９３】
以上、実施の形態１〜４を説明したが、これらの実施の形態のうち、２つ以上を組み合わせて実施しても構わない。
あるいは、これらの実施の形態のうち、１つを部分的に実施しても構わない。
あるいは、これらの実施の形態のうち、２つ以上を部分的に組み合わせて実施しても構わない。
また、これらの実施の形態に記載された構成及び手順を必要に応じて変更してもよい。
【００９４】
＊＊＊ハードウェア構成の補足説明＊＊＊
最後に、エレベーター制御装置１０のハードウェア構成の補足説明を行う。
図２に示すプロセッサ１００１は、プロセッシングを行うＩＣ（Ｉｎｔｅｇｒａｔｅｄ  Ｃｉｒｃｕｉｔ）である。
プロセッサ１００１は、ＣＰＵ（Ｃｅｎｔｒａｌ  Ｐｒｏｃｅｓｓｉｎｇ  Ｕｎｉｔ）、ＤＳＰ（Ｄｉｇｉｔａｌ  Ｓｉｇｎａｌ  Ｐｒｏｃｅｓｓｏｒ）等である。
図２に示す主記憶装置１００２は、ＲＡＭ（Ｒａｎｄｏｍ  Ａｃｃｅｓｓ  Ｍｅｍｏｒｙ）である。
図２に示す補助記憶装置１００３は、ＲＯＭ（Ｒｅａｄ  Ｏｎｌｙ  Ｍｅｍｏｒｙ）、フラッシュメモリ、ＨＤＤ（Ｈａｒｄ  Ｄｉｓｋ  Ｄｒｉｖｅ）等である。
図２に示す通信装置１００４は、データの通信処理を実行する電子回路である。
通信装置１００４は、例えば、通信チップ又はＮＩＣ（Ｎｅｔｗｏｒｋ  Ｉｎｔｅｒｆａｃｅ  Ｃａｒｄ）である。
【００９５】
また、補助記憶装置１００３には、ＯＳ（Ｏｐｅｒａｔｉｎｇ  Ｓｙｓｔｅｍ）も記憶されている。
そして、ＯＳの少なくとも一部がプロセッサ１００１により実行される。
プロセッサ１００１はＯＳの少なくとも一部を実行しながら、行先階抽出部１１、停止階決定部１２、追加要求取得部１３、利用者行先階情報記憶部１４、運転制御部１６、追加階登録部１７及び動作モード決定部１８の機能を実現するプログラムを実行する。
プロセッサ１００１がＯＳを実行することで、タスク管理、メモリ管理、ファイル管理、通信制御等が行われる。
また、行先階抽出部１１、停止階決定部１２、追加要求取得部１３、利用者行先階情報記憶部１４、運転制御部１６、追加階登録部１７及び動作モード決定部１８の処理の結果を示す情報、データ、信号値及び変数値の少なくともいずれかが、主記憶装置１００２、補助記憶装置１００３、プロセッサ１００１内のレジスタ及びキャッシュメモリの少なくともいずれかに記憶される。
また、行先階抽出部１１、停止階決定部１２、追加要求取得部１３、利用者行先階情報記憶部１４、運転制御部１６、追加階登録部１７及び動作モード決定部１８の機能を実現するプログラムは、磁気ディスク、フレキシブルディスク、光ディスク、コンパクトディスク、ブルーレイ（登録商標）ディスク、ＤＶＤ等の可搬記録媒体に格納されていてもよい。そして、行先階抽出部１１、停止階決定部１２、追加要求取得部１３、利用者行先階情報記憶部１４、運転制御部１６、追加階登録部１７及び動作モード決定部１８の機能を実現するプログラムが格納された可搬記録媒体を流通させてもよい。
【００９６】
また、行先階抽出部１１、停止階決定部１２、追加要求取得部１３、利用者行先階情報記憶部１４、運転制御部１６、追加階登録部１７及び動作モード決定部１８の「部」を、「回路」又は「工程」又は「手順」又は「処理」に読み替えてもよい。
また、エレベーター制御装置１０は、処理回路により実現されてもよい。処理回路は、例えば、ロジックＩＣ（Ｉｎｔｅｇｒａｔｅｄ  Ｃｉｒｃｕｉｔ）、ＧＡ（Ｇａｔｅ  Ａｒｒａｙ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）である。
なお、本明細書では、プロセッサと処理回路との上位概念を、「プロセッシングサーキットリー」という。
つまり、プロセッサと処理回路とは、それぞれ「プロセッシングサーキットリー」の具体例である。
【符号の説明】
【００９７】
１０  エレベーター制御装置、１１  行先階抽出部、１２  停止階決定部、１３  追加要求取得部、１４  利用者行先階情報記憶部、１５  階段利用階数情報記憶部、１６  運転制御部、１７  追加階登録部、１８  動作モード決定部、５０  エレベーター、５１  行先階ボタン、５２  監視カメラ、１０１  ドア、１０２  階段、１０３  監視カメラ、１０４  ビーコン、７０１  ドア、７０２  階段、７０３  監視カメラ、７０４  ビーコン、８０１  ドア、８０２  階段、８０３  監視カメラ、８０４  ビーコン、９０１  ドア、９０２  階段、９０３  監視カメラ、９０４  ビーコン、１００１  プロセッサ、１００２  主記憶装置、１００３  補助記憶装置、１００４  通信装置。
【要約】
行先階抽出部（１１）は、エレベーター以外の階間移動手段が設けられている建物に設けられているエレベーター（５０）を利用するエレベーター利用者が向かおうとしている行先階を抽出する。停止階決定部（１２）は、行先階抽出部（１１）により複数の行先階が抽出された場合に、複数の行先階と、エレベーター利用者にエレベーター（５０）の代わりに階間移動手段を利用させる階数である階間移動手段利用階数とに基づき、エレベーター（５０）を停止させる停止階を複数の行先階よりも少ない階数で決定する。【図１】
0006861905.tif 000002
【図２】
0006861905.tif 000003
【図３】
0006861905.tif 000004
【図４】
0006861905.tif 000005
【図５】
0006861905.tif 000006
【図６】
0006861905.tif 000007
【図７】
0006861905.tif 000008
【図８】
0006861905.tif 000009
【図９】
0006861905.tif 000010
【図１０】
0006861905.tif 000011
【図１１】
0006861905.tif 000012
【図１２】
0006861905.tif 000013
【図１３】
0006861905.tif 000014
【図１４】
0006861905.tif 000015